(57)【要約】      （修正有）【課題】「面」を利用して部分開封、全面開封のための切り口を設けた特定封筒を提供する。【解決手段】「面」を利用して、「部分開封」「全開開封」の選択ができる切り口を設けた特定封筒であり、宛て名：住所氏名を書く面を上面に、上辺、右辺、下辺、左辺に、部分開封、全開開封のための切り口としてミシン目を設ける。ミシン目は、上辺ＡーＢ、右辺ＢーＣ、下辺ＣーＤ、左辺ＤーＡのように設け、ＡＢＣＤどの起点からも開封スタートができる特徴を持った特定封筒。【選択図】図１
0003181665.tif 000002
【実用新案登録請求の範囲】
【請求項１】
レターパックプラスは、開封を右辺に沿ってミシン目を設け、下辺に沿ってミシン目を設けたことを特徴とするレタ−パックである。
【考案の詳細な説明】
【技術分野】
【０００１】  本実用新案は、レターパックプラスの開封に関するものである。【０００２】  従来、一片を「ナイフ」「はさみ」等で開けていた。
【先行技術文献】
【特許文献】
【０００３】
【特許文献１】
【実用新案の概要】
【実用新案が解決しようとする課題】
【０００４】  レターパックプラスの開封を、よりお手軽にできるようにしようというものです。
ボール紙が厚くて開封に手間取り、また、中身を傷つけてしまう恐れがあった。
本実用新案は、以上の問題点を解決するためになされたものである。
【課題を解決するための手段】
【０００５】    料額印面を左に見て、料額印面を傷つけないように、右辺と  下辺にミシン目を入れる。以上の構成によるレターパックプラス。
【実用新案の効果】
【０００６】    従来、ハサミやナイフで開封していたものを、ハサミやナイフを使用しなくても、中身を傷つけることもなく、また、いつでもどこでも手軽に開封できる。
本実用新案は、レターパックプラスだけではなく、レターバックライトにも使うことができる。
【図面の簡単な説明】
【０００７】
【図１】本実用新案の斜視図
【図２】本実用新案の使用状況を示す斜視図
【実用新案を実施するための形態】
【０００８】    以下、本実用新案の実施の形態を説明する。
利用額印面を左上にして、右辺及び下辺にミシン目を入れる。
下辺は、左の引く部分を右方向、または左方向へ引っ張って開封する。
また、右辺の引く部分を、下方向又は上方向に引っ張って開封する。
【符号の説明】
【０００９】  １  下辺ミシン目      ２  下辺右へ引く部分    ３  下辺左へ引く部分
４  右辺ミシン目      ５  右辺上へ引く部分    ６  右辺下へ引く部分
【図１】
0003181665.tif 000003
【図２】
0003181665.tif 000004
【手続補正書】
【提出日】平成24年9月24日(2012.9.24)
【手続補正１】
【補正対象書類名】実用新案登録請求の範囲
【補正対象項目名】全文
【補正方法】変更
【補正の内容】
【実用新案登録請求の範囲】
【請求項１】
審議官から指摘された箇所の変更した補正後の実用新案登録請求の全文特定封筒の「綿」を利用し、ミシン目を設けての開封に関するものです。
「綿」を利用して、「部分開封］「全開開封」の選択のできる切り口を設けた特定封筒です。宛て名面を上面に、上辺、右辺、下辺、左辺に、部分開封、全開開封のための切り口としてのミシン目を設ける。
ミシン目は、上辺（ＡーＢ）、右辺（ＢーＣ）、下辺（ＣーＤ）、左辺（ＤーＡ）のように設け、ＡＢＣＤのどの起点からも開封スタートができる特徴をもった特定封筒です。
【手続補正２】
【補正対象書類名】明細書
【補正対象項目名】全文
【補正方法】変更
【補正の内容】
【考案の詳細な説明】
【技術分野】
【０００１】本実用新案は、特定封筒の面を利用しての開封に関するものである。【０００２】従来は、辺を「ナイフ」「はさみ」等で開けていた。
また、面を使っても一箇所のみのものは、辺を利用したものと同等であった。
【先行技術文献】
【特許文献】
【０００３】
【特許文献１】
【実用新案が解決しようとする課題】
【０００４】近年ネットでの送付授受の際衣類等の全般に渡る封入物などの開封の際、傷つけてしまう恐れがあった等の、問題点を解消するための特定封筒です。
【問題を解決する手段】
【０００５】従来の辺を利用した開封ではなく、「面」を利用して部分開封、全開開封ための切り口を設けた、特定封筒です。
宛て名：住所氏名を書く上面の、上辺、右辺、下辺、左辺に、全面開封のための切り口としてミシン目を設けて、どこからでもスタート点として、部分開封全開封ができる特徴とした特定封筒です。
【実用新案の効果】
【０００６】従来の「辺」を利用した切り口を持った開封封筒と違い、「面」を利用とした開封のための、切り口を持った特定封筒は、中身に応じて、「全面開封」「部分開封」の開封スタート点にがどこからでもできる選択できる点にあります。
【図面の簡単な説明】
【０００７】
【図１】  本実用新案の斜視図
【図２】  本実用新案の使用状況を示す斜視図
【実用新案を実施するための形態】
【０００８】  以下、本実用新案を実施の形態を説明する
１：部分開封：開封のための切り口ＡからＢへと引いて開封を行う。
開封のための切り口ＢからＣへと引いて開封を行う。
開封のための切り口ＣからＤへと引いて開封を行う。
開封のための切り口ＤからＡへと引いて開封を行う。
開封のための切り口ＡからＤへと引いて開封を行う。
開封のための切り口ＤからＣへと引いて開封を行う。
開封のための切り口ＣからＢへと引いて開封を行う。
開封のための切り口ＢからＡへと引いて開封を行う。
２：全開封：  開封のための切り口ＡからＢＣＤと引いて開封を行う。
開封のための切り口ＢからＣＤＡと引いて開封を行う。
開封のための切り口ＣからＤＡＢと引いて開封を行う。
開封のための気の口ＤからＡＢＣと引いて開封を行う。
開封のための切り口ＡからＤＣＢと引いて開封を行う。
開封のための切り口ＤからＣＢＡと引いて開封を行う。
開封のための切り口ＣからＢＡＤと引いて開封を行う。
開封のための切り口ＢからＡＤＣと引いて開封を行う。
【符号の説明】
【０００９】１  上辺ミシン目  ＡーＢ      ２  右辺ミシン目  ＢーＣ
３  下辺ミシン目  ＣーＤ      ４  左辺ミシン目  ＤーＡ
開封のための切り口が「面」にあります。
宛て名：住所氏名面を上面にしてミシン目を上辺（ＡーＢ）、右辺（ＢーＣ）下辺（ＣーＤ）、左辺（ＤーＡ）設ける。開封時、スタートはＡＢＣＤのどの地点からでも、また、どの方向にもできるようにしまたした。
（ＡーＢ）の部分開封、（ＡーＢーＣーＤーＡ）の全開開封などの開封選択ができます。
【手続補正３】
【補正対象書類名】図面
【補正対象項目名】全図
【補正方法】変更
【補正の内容】
【図１】
0003181665.tif 000005
【図２】
0003181665.tif 000006
【手続補正書】
【提出日】平成24年11月28日(2012.11.28)
【手続補正１】
【補正対象書類名】実用新案登録請求の範囲
【補正対象項目名】全文
【補正方法】変更
【補正の内容】
【実用新案登録請求の範囲】
【請求項１】
面を利用して、部分開封、全開開封の選択できる切り口を設けた封筒で宛て名面を上面に、上辺、右辺、下辺、左辺に、部分開封、全開開封のための切り口として、ミシン目を設け、前記ミシン目は、上辺Ａ−Ｂ  右辺Ｂ−Ｃ  下辺Ｃ−Ｄ  左辺Ｄ−Ａのように設け、ＡＢＣＤのどの起点からも開封スタートができる特徴を持った特定封筒。